(57)【要約】【課題】  視認者に伝達される吹鳴音の音圧低下を抑えることが可能な計器装置を提供する。【解決手段】  光源１２ｂを有する情報表示体１０と、振動板５１の振動により吹鳴音を発する吹鳴手段５０と、吹鳴手段５０を動作させる制御部２１を有する回路基板２０と、計器ハウジング６０とを備え、吹鳴手段５０は、振動板５１を取り囲む第１の壁部５２を有し、計器ハウジング６０は、光源１２ｂから発せられる熱を計器ハウジング６０の外部に放散させる放熱孔８３ａと、吹鳴手段５０の一方側Ｐ１から発せられる吹鳴音を計器ハウジング６０の外部に放音する放音孔８４ａとを有し、第１の壁部５２は、一方側Ｐ１とは反対側である吹鳴手段５０の他方側Ｐ２から発せられる逆位相吹鳴音の放熱孔８３ａへの通過量を減少させる機能を有する。【選択図】図２
2019142260.tif 000002
【特許請求の範囲】
【請求項１】
発熱部品を有する情報表示体と、
振動部材の振動により吹鳴音を発する吹鳴手段と、
前記情報表示体を動作させる制御部を有する回路基板と、
前記情報表示体と前記吹鳴手段と前記回路基板とを収容する計器ハウジングとを備え、
前記吹鳴手段は、前記振動部材を取り囲む第１の壁部を有し、
前記計器ハウジングは、前記発熱部品から発せられる熱を前記計器ハウジングの外部に放散させる放熱孔と、前記吹鳴手段の一方側から発せられる前記吹鳴音を前記計器ハウジングの外部に放音する放音孔とを有し、
前記第１の壁部は、前記一方側とは反対側である前記吹鳴手段の他方側から発せられる逆位相吹鳴音の前記放熱孔への通過量を減少させる機能を有することを特徴とする計器装置。
【請求項２】
発熱部品を有する情報表示体と、
振動部材の振動により吹鳴音を発する吹鳴手段と、
前記情報表示体を動作させる制御部を有する回路基板と、
前記情報表示体と前記吹鳴手段と前記回路基板とを収容する計器ハウジングとを備え、
前記計器ハウジングは、前記発熱部品から発せられる熱を前記計器ハウジングの外部に放散させる放熱孔と、前記吹鳴手段の一方側から発せられる前記吹鳴音を前記計器ハウジングの外部に放音する放音孔と、前記放熱孔と前記放音孔とを区画するように設けられる第２の壁部とを有し、
前記第２の壁部は、前記一方側とは反対側である前記吹鳴手段の他方側から発せられる逆位相吹鳴音の前記放熱孔への通過量を減少させる機能を有することを特徴とする計器装置。
【請求項３】
情報表示体と、
振動部材の振動により吹鳴音を発する吹鳴手段と、
前記情報表示体を動作させる発熱部品としての制御部を有する回路基板と、
前記情報表示体と前記吹鳴手段と前記回路基板とを収容する計器ハウジングとを備え、
前記吹鳴手段は、前記振動部材を取り囲む第１の壁部を有し、
前記計器ハウジングは、前記発熱部品から発せられる熱を前記計器ハウジングの外部に放散させる放熱孔と、前記吹鳴手段の一方側から発せられる前記吹鳴音を前記計器ハウジングの外部に放音する放音孔とを有し、
前記第１の壁部は、前記一方側とは反対側である前記吹鳴手段の他方側から発せられる逆位相吹鳴音の前記放熱孔への通過量を減少させる機能を有することを特徴とする計器装置。
【請求項４】
情報表示体と、
振動部材の振動により吹鳴音を発する吹鳴手段と、
前記情報表示体を動作させる発熱部品としての制御部を有する回路基板と、
前記情報表示体と前記吹鳴手段と前記回路基板とを収容する計器ハウジングとを備え、
前記計器ハウジングは、前記発熱部品から発せられる熱を前記計器ハウジングの外部に放散させる放熱孔と、前記吹鳴手段の一方側から発せられる前記吹鳴音を前記計器ハウジングの外部に放音する放音孔と、前記放熱孔と前記放音孔とを区画するように設けられる第２の壁部とを有し、
前記第２の壁部は、前記一方側とは反対側である前記吹鳴手段の他方側から発せられる逆位相吹鳴音の前記放熱孔への通過量を減少させる機能を有することを特徴とする計器装置。
【発明の詳細な説明】
【技術分野】
【０００１】
本発明は、例えば自動車等の各種車両に搭載された計器装置に関するものである。
【背景技術】
【０００２】
従来より、この種の計器装置にあっては、例えば下記特許文献１に記載されているものが知られている。この特許文献１に記載の計器装置は、表示素子（液晶表示素子）と当該表示素子に照明光を供給する光源とを少なくとも有する情報表示体（計器用ディスプレイ）と、振動板（振動部材）の振動により吹鳴音を発する吹鳴手段と、この吹鳴手段や情報表示体を動作させる制御部（マイクロコンピュータ）が実装（配設）された硬質の回路基板と、情報表示体と吹鳴手段と回路基板とを収容する樹脂製の筐体とを備えている。
【０００３】
そして、この場合、筐体は、計器装置の外装ケースを構成し、情報表示体の表示エリアを臨ませるための開口窓を有する上側筐体と、吹鳴手段と回路基板とを収容する下側筐体とに分割形成され、情報表示体を視認する視認者は、前記表示エリアに表示される各種情報を視認することができる。また、下側筐体は、吹鳴手段（つまり前記視認者側とは反対側となる反視認者側に位置する吹鳴手段の一方側）から発せられる吹鳴音を下側筐体（計器装置）の外部に放音する放音孔部とを有している。
【先行技術文献】
【特許文献】
【０００４】
【特許文献１】特開２０１８−１１２３７号公報
【発明の概要】
【発明が解決しようとする課題】
【０００５】
ところで、特許文献１に記載の計器装置の場合、制御部による制御のもと、情報表示体や吹鳴手段が動作することになるが、この制御部の動作時にあっては、制御部から発せられる熱（もしくは前記光源から発せられる熱）が筐体の内部に停滞し易くなることが考えられる。
【０００６】
そこで、筐体の内部に熱がこもらないように下側筐体に放熱孔部を形成することで、当該熱を筐体の外部に放散させることができるが、下側筐体に放熱孔部を形成すると、前記一方側とは反対側となる吹鳴手段の他方側から発せられる逆位相吹鳴音の一部が筐体の内部空間及び下側筐体の放熱孔部を通過して筐体の外部へと至り、その結果、吹鳴手段の一方側から発せられて前記放音孔部を通過する前記吹鳴音と前記逆位相吹鳴音の一部とが干渉し、視認者に対して劣化した（音圧の低下した）音が伝達される虞がある。
そこで本発明は、前述の課題に対して対処するため、視認者に伝達される吹鳴音の音圧低下を抑えることが可能な計器装置の提供を目的とするものである。
【課題を解決するための手段】
【０００７】
本発明は、発熱部品を有する情報表示体と、振動部材の振動により吹鳴音を発する吹鳴手段と、前記情報表示体を動作させる制御部を有する回路基板と、前記情報表示体と前記吹鳴手段と前記回路基板とを収容する計器ハウジングとを備え、前記吹鳴手段は、前記振動部材を取り囲む第１の壁部を有し、前記計器ハウジングは、前記発熱部品から発せられる熱を前記計器ハウジングの外部に放散させる放熱孔と、前記吹鳴手段の一方側から発せられる前記吹鳴音を前記計器ハウジングの外部に放音する放音孔とを有し、前記第１の壁部は、前記一方側とは反対側である前記吹鳴手段の他方側から発せられる逆位相吹鳴音の前記放熱孔への通過量を減少させる機能を有することを特徴とする。
【０００８】
また本発明は、発熱部品を有する情報表示体と、振動部材の振動により吹鳴音を発する吹鳴手段と、前記情報表示体を動作させる制御部を有する回路基板と、前記情報表示体と前記吹鳴手段と前記回路基板とを収容する計器ハウジングとを備え、前記計器ハウジングは、前記発熱部品から発せられる熱を前記計器ハウジングの外部に放散させる放熱孔と、前記吹鳴手段の一方側から発せられる前記吹鳴音を前記計器ハウジングの外部に放音する放音孔と、前記放熱孔と前記放音孔とを区画するように設けられる第２の壁部とを有し、前記第２の壁部は、前記一方側とは反対側である前記吹鳴手段の他方側から発せられる逆位相吹鳴音の前記放熱孔への通過量を減少させる機能を有することを特徴とする。
【０００９】
また本発明は、情報表示体と、振動部材の振動により吹鳴音を発する吹鳴手段と、前記情報表示体を動作させる発熱部品としての制御部を有する回路基板と、前記情報表示体と前記吹鳴手段と前記回路基板とを収容する計器ハウジングとを備え、前記吹鳴手段は、前記振動部材を取り囲む第１の壁部を有し、前記計器ハウジングは、前記発熱部品から発せられる熱を前記計器ハウジングの外部に放散させる放熱孔と、前記吹鳴手段の一方側から発せられる前記吹鳴音を前記計器ハウジングの外部に放音する放音孔とを有し、前記第１の壁部は、前記一方側とは反対側である前記吹鳴手段の他方側から発せられる逆位相吹鳴音の前記放熱孔への通過量を減少させる機能を有することを特徴とする。
【００１０】
また本発明は、情報表示体と、振動部材の振動により吹鳴音を発する吹鳴手段と、前記情報表示体を動作させる発熱部品としての制御部を有する回路基板と、前記情報表示体と前記吹鳴手段と前記回路基板とを収容する計器ハウジングとを備え、前記計器ハウジングは、前記発熱部品から発せられる熱を前記計器ハウジングの外部に放散させる放熱孔と、前記吹鳴手段の一方側から発せられる前記吹鳴音を前記計器ハウジングの外部に放音する放音孔と、前記放熱孔と前記放音孔とを区画するように設けられる第２の壁部とを有し、前記第２の壁部は、前記一方側とは反対側である前記吹鳴手段の他方側から発せられる逆位相吹鳴音の前記放熱孔への通過量を減少させる機能を有することを特徴とする。
【発明の効果】
【００１１】
本発明によれば、所期の目的を達成でき、視認者に伝達される吹鳴音の音圧低下を抑えることが可能な計器装置を提供できる。
【図面の簡単な説明】
【００１２】
【図１】本発明の実施形態による計器装置の正面図。
【図２】図１のＡ−Ａ断面図。
【図３】同実施形態による下ケースを背後側から見たときの平面図。
【図４】同実施形態の第１変形例による計器装置の要部拡大断面図。
【図５】同実施形態の第４変形例による計器装置の要部拡大断面図。
【発明を実施するための形態】
【００１３】
以下、図１から図３に基づいて、本発明の計器装置を車両に搭載される車両用計器に適用した一実施形態を説明する。なお、以下の説明では、車両用計器を正視（視認）する視認者側を前方側とし、当該視認者側とは反対側である反視認者側を背後側とする。
【００１４】
図１、図２において、本実施形態による計器装置としての車両用計器Ｄは、後述する表示素子や光源を少なくとも有する計器用ディスプレイとしての情報表示体１０と、この情報表示体１０の背後側に位置する回路基板２０と、情報表示体１０を保持するように回路基板２０上に載置される樹脂ケース３０と、情報表示体１０の可視領域を定めるための見返し部材４０と、聴覚情報としての吹鳴音を発する吹鳴手段５０と、車両用計器Ｄの外装ケースを構成する計器ハウジング６０とを備えている。
【００１５】
情報表示体１０は、図２に示すように表示素子１１と、この表示素子１１のソース線（信号線）を駆動するソース線駆動回路（図示せず）と、表示素子１１のゲート線（走査線）を駆動するゲート線駆動回路（図示せず）と、導光体１２ａや光源（発熱部品）１２ｂ、フレキシブル配線板１２ｃ等から構成され、表示素子１１に照明光を導くための照明手段１２と、表示素子１１及び導光体１２ａを保持する略平板状の白色樹脂からなる樹脂ケース１３と、前面フレーム１４と背面フレーム１５とでなり、情報表示体１０の外装ケースを構成する導電性材料からなるフレーム体１６と、前記ソース線駆動回路並びに前記ゲート線駆動回路のタイミングを制御する各種タイミング信号を生成するタイミングコントローラ（図示せず）等が搭載されたプリント基板１７とを有する。
【００１６】
そして、この場合、前面フレーム１４とこの前面フレーム１４と対をなす背面フレーム１５とから構成されるフレーム体１６は、その内部に表示素子１１や導光体１２ａ、光源１２ｂ、樹脂ケース１３等を収容（収納）し、またプリント基板１７は、背面フレーム１５の後述する底壁部の背面に適宜固定手段を用いて固定される。
【００１７】
なお、必要に応じて、表示素子１１を略均一にバックライト照明するための光学部材（例えば拡散シートやプリズムシート）を表示素子１１と導光体１２ａとの間に１つ以上配置してもよい。
【００１８】
表示素子１１は、例えば複数の画素を有するＴＦＴ型の液晶表示パネルからなり、車両に搭載された各種センサからの検出信号に基づいて、車速情報や残燃料情報、燃費情報等の車両情報画像を表示する表示部１１ａを備える（図１参照）。この表示部１１ａは、表示素子１１の表示領域（図示せず）に表示される。
【００１９】
導光体１２ａは、略平板状の透光性合成樹脂からなり、表示素子１１の背面に沿うように配置される。別の言い方をすれば、導光体１２ａは、光源１２ｂから表示素子１１へと至る照明光路中に配置されていることになる。
【００２０】
光源１２ｂは、適宜色の光を発するチップ型発光ダイオードからなり、図２中、導光体１２ａの上側に位置する一側面１２ｄに沿うように列状に複数個配置され、表示素子１１に照明光を供給する発光体である。
【００２１】
前面フレーム１４は、導電性材料からなり、略枠状にプレス成形され、その主要部をなす本体部１４ａと、この本体部１４ａの周縁から下方に向けて垂下形成された周壁部１４ｂとが一体形成された構成となっている。そして、本体部１４ａの略中央部には、表示部１１ａに対応するように略矩形状の開口窓からなる表示窓部１４ｃが形成されている。
【００２２】
背面フレーム１５は、前面フレーム１４と同様に導電性材料からなり、断面略凹部形状にて形成され、その主要部をなす底壁部１５ａと、この底壁部１５ａの周縁から周壁部１４ｂ側に向けて突出形成された周壁１５ｂとが一体形成された構成となっている。
【００２３】
そして、図２中、右方に位置する周壁１５ｂの内壁面１５ｃには、フレキシブル配線板１２ｃが適宜固定手段を用いて固定され、各光源１２ｂは、導光体１２ａの一側面１２ｄと対向するようにフレキシブル配線板１２ｃに設けられる導電路（図示せず）に実装される。なお、プリント基板１７と回路基板２０とはフレキシブル配線板等を用いて導通接続されているものとする。
【００２４】
回路基板２０は、例えばガラスエポキシ系基材に配線パターン（図示せず）が施された硬質回路基板からなり、情報表示体１０及び吹鳴手段５０を動作させる制御部２１と、抵抗、コンデンサ等の各種回路部品（図示せず）とが前記配線パターンに導通接続されている。つまり、この場合、回路基板２０は、制御部２１や各種回路部品を有していることになる。
【００２５】
制御部２１は、例えばここでの詳細図示は省略するが、ＲＯＭ、ＲＡＭ、不揮発性メモリやフラッシュメモリ等の記憶装置を含む主制御部としてのマイクロコンピュータと、このマイクロコンピュータからの指令信号に応じて、前記車両情報画像を表示素子１１に表示させるべく、画像描画処理を実行する画像処理部としてのグラフィックコントローラとからなる。
【００２６】
樹脂ケース３０は、例えば白色の合成樹脂材料によって形成され、情報表示体１０と回路基板２０との間に配置され、情報表示体１０を保持する保持部としての機能を有する。
【００２７】
見返し部材４０は、例えば黒色の合成樹脂材料によって形成され、情報表示体１０の前記表示領域を露出させるための開口窓４１を有している。
【００２８】
吹鳴手段５０は、例えば後述するセンターポールが挿入される貫通孔部を有するトッププレートと中央部に突出形成されたセンターポールを有するバックプレートと前記センターポールを取り巻くように前記両プレート間に狭持されたリング状マグネットとを備えた磁気回路と、前記センターポールと前記トッププレートとの間に形成される磁気空隙内に配設されるボイスコイルと、このボイスコイルの先端に連結されるコーン型の振動板（振動部材）と、前記磁気回路と前記振動板を所定の位置に支持するフレームとから主に構成され、前記ボイスコイルに電流を流すと前記ボイスコイルに力が作用し、前記ボイスコイルの動きに連動して前記振動板が振動することによって吹鳴音を発する、所謂、動電型の略円盤形状のスピーカ（発音素子）からなり、回路基板２０の背後側に配置される。
【００２９】
ここで、図２中、５１は、吹鳴手段５０の背後側に設けられる上述した振動板であり、この振動板５１の振動により警報音や音声等の前記吹鳴音が発せられる。吹鳴手段５０は、所定の配線部材（例えば配線コード）によって回路基板２０と電気的に接続され、制御部２１による制御のもと、図２中、吹鳴手段５０の一方側Ｐ１から吹鳴音が吹鳴される。
【００３０】
また、この場合、吹鳴手段５０は、外形形状が略円形の振動板５１を取り囲む略円筒状の第１の壁部５２を有する。第１の壁部５２は、例えば合成樹脂材料によって形成される。そして、この第１の壁部５２の前方側に位置する第１の壁部５２の先端部５２ａと、回路基板２０との間には数ミリ程度の微少なクリアランスからなる隙間部Ｆが設けられる。
【００３１】
計器ハウジング６０は、情報表示体１０と回路基板２０と樹脂ケース３０と見返し部材４０と吹鳴手段５０とを収容する樹脂製のケースであり、車両用計器Ｄの前方側に配置される上ケース７０と、この上ケース７０と対をなすように車両用計器Ｄの背後側に配置される下ケース８０とで構成される。
【００３２】
上ケース７０は、例えば透光性の合成樹脂材料によって形成された透視ガラスであり、視認者は、上ケース７０越しに前記表示領域に表示される表示部１１ａを透視することができる。
【００３３】
下ケース８０は、回路基板２０の背後側に配置される本体部８１と、回路基板２０の周囲を囲むように設けられる側壁部８２とを備える。
【００３４】
本体部８１は、その主要部を構成する基部８３と、この基部８３から背後側に向けて一段低い位置に位置する膨出部８４とを備え、膨出部８４は、例えば本体部８１の略中央部に形成される。
【００３５】
そして、基部８３は、光源１２ｂの点灯時に光源１２ｂから発せられる熱を下ケース８０（計器ハウジング６０）の外部に放散させるための放熱孔８３ａを有している。放熱孔８３ａは、例えば複数個のスリットによって構成され、図３中、車両用計器Ｄの上方側及び下方側に設けられる。
【００３６】
また、膨出部８４は、吹鳴手段５０の一方側Ｐ１から発せられる吹鳴音を下ケース８０（計器ハウジング６０）の外部に放音するための放音孔８４ａを有している。吹鳴手段５０は、この放音孔８４ａを塞ぐように本体部８１に適宜固定手段を用いて固定される。
【００３７】
以上の各部により、車両用計器Ｄが構成される。次に、本発明の特徴点について説明する。本発明の特徴点は、制御部２１による制御のもと、吹鳴手段５０が動作した際に、振動板５１を取り囲むように設けられる第１の壁部５２が、吹鳴手段５０の一方側Ｐ１とは反対側である吹鳴手段５０の他方側Ｐ２から発せられる逆位相吹鳴音の放熱孔８３ａへの通過量を減少させる機能を有する点にある。換言すれば、第１の壁部５２は、逆位相吹鳴音が放熱孔８３ａ側へと積極的に導かれるのを防止する防音壁として機能する。
【００３８】
これにより、吹鳴手段５０の他方側Ｐ２から発せられる逆位相吹鳴音と、放音孔８４ａを通過するように吹鳴手段５０の一方側Ｐ１から発せられる吹鳴音との干渉が極力、抑制される。つまり、放音孔８４ａから出力される吹鳴音は、逆位相吹鳴音と干渉して弱められることなく、その音圧が維持された状態で放音孔８４ａを通過して視認者に伝達されることになり、視認者に伝達される吹鳴音の音圧低下を抑えることが可能な車両用計器Ｄを提供することができる。
【００３９】
なお、本発明は、上述の実施形態及び図面によって限定されるものではない。本発明の要旨を変更しない範囲で、適宜、実施形態及び図面に変更（構成要素の削除も含む）を加えることが可能である。具体的には、以下に示す第１〜第５変形例がある。
【００４０】
（第１変形例）
前記実施形態では、第１の壁部５２が吹鳴手段５０の他方側Ｐ２から発せられる逆位相吹鳴音の放熱孔８３ａへの通過量を減少させる機能を有するものであったが、第１の壁部５２に代えて図４に示すように基部８３（本体部８１）に一体的に設けられた第２の壁部８３ｂを利用して逆位相吹鳴音の放熱孔８３ａへの通過量を減少させるようにしてもよい。
【００４１】
第２の壁部８３ｂは、（第１の壁部５２が形成されない状態の）吹鳴手段５０を包囲するように略円筒形状に形成される。換言すれば、第２の壁部８３ｂは、放熱孔８３ａと放音孔８４ａとを区画するように基部８３（本体部８１）に一体的に設けられることになる。なお、第２の壁部８３ｂと回路基板２０との間には第１の壁部５２の場合と同様にして、上述した微少なクリアランスが形成される。
【００４２】
従って、この第１変形例によれば、本体部８１（計器ハウジング６０）は、光源１２ｂから発せられる熱を計器ハウジング６０の外部に放散させる放熱孔８３ａと、吹鳴手段５０の一方側Ｐ１から発せられる吹鳴音を計器ハウジング６０の外部に放音する放音孔８４ａと、放熱孔８３ａと放音孔８４ａとを区画するように設けられる第２の壁部８３ｂとを有し、第２の壁部８３ｂは、一方側Ｐ１とは反対側である吹鳴手段５０の他方側Ｐ２から発せられる逆位相吹鳴音の放熱孔８１ａへの通過量を減少させる機能を有する構成となる。
【００４３】
このように構成した場合であっても、第２の壁部８３ｂは、逆位相吹鳴音が放熱孔８３ａ側へと積極的に導かれるのを防止する防音壁として機能し、放音孔８４ａから出力される吹鳴音は、逆位相吹鳴音と干渉して弱められることなく、その音圧が維持された状態で放音孔８４ａを通過して視認者に伝達されるため、前記実施形態と同様の作用効果を得ることができる。
【００４４】
（第２変形例）
前記実施形態では、発熱部品を情報表示体１０に備えられる光源１２ｂとしたが、発熱部品は、回路基板２０に実装された前記グラフィックコントローラ（制御部２１）であってもよい。
【００４５】
つまり、この場合、情報表示体１０を動作させる発熱部品としての制御部２１を有する回路基板２０を有し、本体部８１（計器ハウジング６０）は、前記グラフィックコントローラの動作時に前記グラフィックコントローラから発せられる熱を計器ハウジング６０の外部に放散させる放熱孔８３ａを有し、振動板５１を取り囲む第１の壁部５２は、一方側Ｐ１とは反対側である吹鳴手段５０の他方側Ｐ２から発せられる逆位相吹鳴音の放熱孔８３ａへの通過量を減少させる機能を有する構成となる。
【００４６】
このように構成した場合であっても、第１の壁部５２は、逆位相吹鳴音が放熱孔８３ａ側へと積極的に導かれるのを防止する防音壁として機能し、放音孔８４ａから出力される吹鳴音は、逆位相吹鳴音と干渉して弱められることなく、その音圧が維持された状態で放音孔８４ａを通過して視認者に伝達されるため、前記実施形態と同様の作用効果を得ることができる。
【００４７】
（第３変形例）
前記実施形態にて採用した第１の壁部５２に代えて第２の壁部８３ｂを採用するとともに、光源１２ｂに代えて前記実施形態に記載されている前記グラフィックコントローラ（制御部２１）を発熱部品としてもよい。
【００４８】
つまり、この場合、情報表示体１０を動作させる発熱部品としての制御部２１を有する回路基板２０を有し、本体部８１（計器ハウジング６０）は、前記グラフィックコントローラ（制御部２１）から発せられる熱を計器ハウジング６０の外部に放散させる放熱孔８３ａを有し、第２の壁部８３ｂは、一方側Ｐ１とは反対側である吹鳴手段５０の他方側Ｐ２から発せられる逆位相吹鳴音の放熱孔８３ａへの通過量を減少させる機能を有する構成となる。
【００４９】
このように構成した場合であっても、第２の壁部８３ｂは、逆位相吹鳴音が放熱孔８３ａ側へと積極的に導かれるのを防止する防音壁として機能し、放音孔８４ａから出力される吹鳴音は、逆位相吹鳴音と干渉して弱められることなく、その音圧が維持された状態で放音孔８４ａを通過して視認者に伝達されるため、上述した実施形態と同様の作用効果を得ることができる。
【００５０】
（第４変形例）
前記実施形態と第１変形例とを組み合わせた構成であってもよい。つまり、この場合、吹鳴手段５０は、振動板５１を取り囲む第１の壁部５２を有し、本体部８１（計器ハウジング６０）は、光源１２ｂから発せられる熱を計器ハウジング６０の外部に放散させる放熱孔８３ａと、吹鳴手段５０の一方側Ｐ１から発せられる吹鳴音を計器ハウジング６０の外部に放音する放音孔８４ａと、放熱孔８３ａと放音孔８４ａとを区画するように設けられる第２の壁部８３ｂとを有し、第１の壁部５２及び第２の壁部８３ｂは、一方側Ｐ１とは反対側である吹鳴手段５０の他方側Ｐ２から発せられる逆位相吹鳴音の放熱孔８３ａへの通過量を減少させる機能を有する構成となる（図５参照）。このように構成した場合であっても前記実施形態と同様の作用効果を得ることができる。
【００５１】
また、この場合、両壁部５２、８３ｂを利用した２重壁構造となるので、放音孔８４ａから出力される吹鳴音と逆位相吹鳴音との干渉に起因した当該吹鳴音の音圧低下をより確実に防ぐことができる。
【００５２】
（第５変形例）
前記実施形態と第３変形例とを組み合わせた構成であってもよい。つまり、この場合、吹鳴手段５０は、振動板５１を取り囲む第１の壁部５２を有し、本体部８１（計器ハウジング６０）は、前記グラフィックコントローラ（制御部２１）から発せられる熱を計器ハウジング６０の外部に放散させる放熱孔８３ａと、吹鳴手段５０の一方側Ｐ１から発せられる吹鳴音を計器ハウジング６０の外部に放音する放音孔８４ａと、放熱孔８３ａと放音孔８４ａとを区画するように設けられる第２の壁部８３ｂとを有し、第１の壁部５２及び第２の壁部８３ｂは、一方側Ｐ１とは反対側である吹鳴手段５０の他方側Ｐ２から発せられる逆位相吹鳴音の放熱孔８１ａへの通過量を減少させる機能を有する構成となる。このように構成した場合であっても前記実施形態と同様の作用効果を得ることができる。
【００５３】
なお、上述した第２、第３、第５変形例においては、情報表示体１０を前記計器用ディスプレイではなく、指針（計器用指針）と、指針によって指示される目盛等の表示部を有する表示板（計器用表示板）とから主に構成されるアナログ式計器（指針式表示部）としてもよい。なお、アナログ式計器とする場合、指針は、指針を駆動するように回路基板２０に実装されるモータ（指針駆動手段）の回転軸に連結される。
【符号の説明】
【００５４】
１０    情報表示体
１１    表示素子
１２ｂ  光源
２０    回路基板
２１    制御部
３０    樹脂ケース
４０    見返し部材
５０    吹鳴手段
５１    振動板（振動部材）
５２    第１の壁部
６０    計器ハウジング
７０    上ケース
８０    下ケース
８１    本体部
８３    基部
８３ａ  放熱孔
８３ｂ  第２の壁部
８４    膨出部
８４ａ  放音孔
Ｆ    間隙部
Ｐ１    吹鳴手段の一方側
Ｐ２    吹鳴手段の他方側
【図１】
2019142260.tif 000003
【図２】
2019142260.tif 000004
【図３】
2019142260.tif 000005
【図４】
2019142260.tif 000006
【図５】
2019142260.tif 000007